(57)【要約】      （修正有）【課題】生体に関する生体固有情報が書き込まれたＲＦＩＤタグを生体に埋め込む際の作業者の手間、作業時間およびＲＦＩＤタグが埋め込まれる生体への負担の低減を可能とする生体埋め込み用ＲＦＩＤタグ挿入用注射器型挿入器具を提供する。【解決手段】生体埋め込み用ＲＦＩＤタグ１３０の挿入用注射器型挿入器具に、該生体埋め込み用ＲＦＩＤタグ挿入用注射器型挿入器具の、金属製の注射針部１１０以外であって、ＲＦＩＤタグに情報を書き込み得る素材により形成された生体埋め込み用ＲＦＩＤタグ保管部１２６を作成して、該生体埋め込み用ＲＦＩＤタグ保管部に保管されたＲＦＩＤタグに、ＲＦＩＤタグを生体へ埋め込む直前に、該生体の生体固有情報を書き込み、即座に該生体に該ＲＦＩＤタグを確実に埋め込むことを可能とする。【選択図】図１
0003152587.tif 000002
【実用新案登録請求の範囲】
【請求項１】
電磁波を送受することによって固有情報を書き込み、読み出しし得る生体埋め込み用ＲＦＩＤタグを、動物又は人間の生体に埋め込むための注射器型挿入器具であって、
前記注射器型挿入器は、注射針部と、シリンダー部と、ピストン部と、を有し、
前記注射針部は、金属製であって、先端の生体穿刺部と、ピストン部が貫通可能である貫通孔を有し、
前記シリンダー部は、中空の円筒状であって、長手方向の注射針側端部近辺の内壁面に、前記シリンダー部から前記注射針部へ前記生体埋め込み用ＲＦＩＤタグの誘導を可能とするテーパー部を有し、
該テーパー部と前記注射針部の間には細い中空円筒部を有し、
前記中空円筒部は、前記生体埋め込み用ＲＦＩＤタグを一時的に保管し（以下、「生体埋め込み用ＲＦＩＤタグ保管部」ともいう）、
前記生体埋め込み用ＲＦＩＤタグ保管部は、前記生体埋め込み用ＲＦＩＤタグに書き込み可能な素材で作成され、
前記生体埋め込み用ＲＦＩＤタグ保管部の内径と、前記注射針部貫通孔の直径は略同じであり、生体埋め込み用ＲＦＩＤタグの直径より若干大きく、
前記ピストン部は、長手方向の注射針部側は前記注射針部の貫通孔の直径より若干小さい直径を有する円柱形状であり、他方の側は前記シリンダー部の内径より若干小さい直径を有する形状であり、一方の端部を押圧することにより、前記生体埋め込み用ＲＦＩＤタグ保管部に保管される前記生体埋め込み用ＲＦＩＤタグを、前記注射針部の先端方向へ押し出して生体に注入させ、
生体に、前記生体埋め込み用ＲＦＩＤタグを埋め込む直前に、前記生体の固有な情報（以下「生体固有情報」ともいう）を、前記生体埋め込み用ＲＦＩＤタグ保管部に収納されている前記ＲＦＩＤタグのＩＣチップに短時間で書き込み、書き込み終了後直ちに、前記生体固有情報の書き込まれたＲＦＩＤタグを生体内に埋め込むことが可能であることを特徴とする生体埋め込み用ＲＦＩＤタグ挿入用注射器型挿入器具。
【請求項２】
請求項１に記載の生体埋め込み用ＲＦＩＤタグ挿入用注射器型挿入器具において、
前記生体埋め込み用ＲＦＩＤタグ保管部は、該生体埋め込み用ＲＦＩＤタグ保管部の内壁に微細な凸部が形成されることにより、生体埋め込み用ＲＦＩＤタグが生体埋め込み用ＲＦＩＤタグ保管部に一時的に停止し、生体埋め込み用ＲＦＩＤタグに生体固有情報が書き込まれた後で前記ピストン部に押圧されることにより、前記注射針部に移動することを特徴とする生体埋め込み用ＲＦＩＤタグ挿入用注射器型挿入器具。
【請求項３】
電磁波を送受することによって固有情報を書き込み、読み出しし得る生体埋め込み用ＲＦＩＤタグを、動物または人間の生体に埋め込むための注射器型挿入器具であって、
前記注射器型挿入器は、注射針部と、シリンダー部と前記注射針部を連結し、ＲＦＩＤタグを保管する分離型保管部と、シリンダー部と、ピストン部と、を有し、
前記注射針部は、金属製であって、先端の生体穿刺部と、ピストン部が貫通可能である貫通孔を有し、
前記分離型保管部の一方の端部は、前記注射針部の前記生体穿刺部と異なる端部に固定され前記注射針部を保持し、他方の端部は前記シリンダー部の一端に着脱自在に係合できるように係合部を有し、
前記分離型保管部は前記生体埋め込み用ＲＦＩＤタグに書き込み可能な素材で作成され、中に前記生体埋め込み用ＲＦＩＤタグを保管でき、
前記シリンダー部の前記注射針部側端部は、前記ピストン部の先端を前記注射針部へ挿入する位置を保持するために、注射針部方向に細い中空の第１円筒部を有し、
前記シリンダー部注射針部側端部には中空の第２円筒部が形成され、前記第２円筒部の内壁は前記分離型保管部が着脱自在に係合できるように、係合部を有し、
前記分離型保管部に前記生体埋め込み用ＲＦＩＤタグを収納後、前記分離型保管部を該シリンダー部注射針部側端部に差し込んで前記注射器型挿入器具をセットし、
前記ピストン部は、長手方向の注射針部側は前記注射針部の貫通孔の直径より若干小さい直径を有する円柱形状を有し、他方の側は前記シリンダー部の内径より若干小さい直径を有する形状であり、一方の端部を押圧することにより、前記分離型保管部に保管される前記生体埋め込み用ＲＦＩＤタグを、前記注射針部の先端方向へ押し出して生体に注入させ、
生体に、前記生体埋め込み用ＲＦＩＤタグを埋め込む直前に、前記生体の固有な情報（以下「生体固有情報」ともいう）を、前記分離型保管部に収納されている前記ＲＦＩＤタグのＩＣチップに短時間で書き込み、書き込み終了後直ちに、前記生体固有情報の書き込まれたＲＦＩＤタグを生体内に埋め込むことを可能とすることを特徴とする生体埋め込み用ＲＦＩＤタグ挿入用注射器型挿入器具。
【請求項４】
請求項３に記載の生体埋め込み用ＲＦＩＤタグ挿入用注射器型挿入器具において、
前記分離型保管部は、該分離型保管部の内壁に微細な凸部が形成されることにより、生体埋め込み用ＲＦＩＤタグが分離型保管部に一時的に停止し、生体埋め込み用ＲＦＩＤタグに生体固有情報が書き込まれた後で前記ピストン部に押圧されることにより、前記注射針部に移動することを特徴とする生体埋め込み用ＲＦＩＤタグ挿入用注射器型挿入器具。
【請求項５】
請求項１または２に記載の前記生体埋め込み用ＲＦＩＤタグ注射器型挿入器具において、
前記生体埋め込み用ＲＦＩＤタグ保管部は、生体埋め込み用ＲＦＩＤタグに書き込み可能なプラスチックであることを特徴とする生体埋め込み用ＲＦＩＤタグ挿入用注射器型挿入器具。
【請求項６】
請求項３または４に記載の前記生体埋め込み用ＲＦＩＤタグ注射器型挿入器具において、
前記分離型保管部は、生体埋め込み用ＲＦＩＤタグに書き込み可能なプラスチックであることを特徴とする生体埋め込み用ＲＦＩＤタグ挿入用注射器型挿入器具。
【請求項７】
請求項１乃至６のいずれか１項に記載の前記生体埋め込み用ＲＦＩＤタグ挿入用注射器型挿入器具において、
前記生体は人間以外の動物に係る生体であることを特徴とする生体埋め込み用ＲＦＩＤタグ挿入用注射器型挿入器具。
【請求項８】
請求項１乃至６のいずれか１項に記載の前記生体埋め込み用ＲＦＩＤタグ挿入用注射器型挿入器具において、
前記生体はペット用動物に係る生体であることを特徴とする生体埋め込み用ＲＦＩＤタグ挿入用注射器型挿入器具。
【考案の詳細な説明】
【技術分野】
【０００１】
本考案は、動物又は人間を識別するために用いる生体埋め込み用ＲＦＩＤタグを、安全で容易に動物または人間の生体に埋め込むことを可能とする生体埋め込み用ＲＦＩＤタグ挿入用注射器型挿入器具に関する。なお、対象となる生体は現時点では主に、ペットや実験用小動物の生体であるが、次には、牛馬、動物園にいるような大型動物の生体も対象であり、さらには、倫理観や法律的環境、必要性等の環境が整えば人間の生体も対象となり得る。
【背景技術】
【０００２】
近年、ペットを所有する家庭は顕著に増加し、ペットブームを反映してペットを取り巻く環境は大きく変化している。例えばペット保険の普及もみられるが、ペットの識別は人間の識別に比べて困難であり、保険金詐欺も考えられ、ペット保険の加入に際してはペットの厳格な個別認証を可能とするために、当初はペットの顔写真と毛根のＤＮＡ鑑定の提出が求められていた。しかし、このペットの顔写真と毛根のＤＮＡ鑑定による識別にも問題があり、近時は、ペット保険の加入に際して、ペットに生体固有情報の入力されたＲＦＩＤタグを埋め込むことを要件とする場合が多い。
【０００３】
また、このペット保険の問題以外にも、近年ペットの飼い主がペットを飼うのに飽きたり、ペット業者がペットが大きく育ちすぎた等の安易な理由でペットを捨てるケースも増加し、飼い主のいない犬猫を収容するための公共施設の増加は行政の懸案事項ともなり、ペットの管理の必要性が増している。また、このような、ペットを取り巻く環境改善のために、犬や猫の飼い主に課税するペット税の導入論も浮上している。そのためにはペットの個別認証が必要である。またペットの個別認証は、飼い主やペット業者のモラルの低下を抑制する意味においても有効であると考えられるが、ペットを外観等で個別認証をすることは飼い主が認証する場合はともかく、第三者がペットをペットの外観だけで個別認証を厳格に行うことは困難である場合が多い。
【０００４】
また、研究開発に使用されるマウスやウサギ等の実験用小動物の識別認証においても、当初はマジックで、マークをするといった方法で識別をしていたが、毛が生えかわって、識別できなくなる等の問題があり、研究開発に使用されるマウスやウサギ等の実験用小動物の識別認証に生体固有情報の入力されたＲＦＩＤタグを埋め込んで個別認証ができれば有用である。
【０００５】
生体固有情報を入力されたＲＦＩＤタグを容易に安全に実験用小動物の生体に埋め込める生体埋め込み用ＲＦＩＤタグ挿入用注射器型挿入器具は、小動物を用いた研究・実験の効率化と、研究者が小動物に噛まれる等の事故回避のために必要である。
【０００６】
従来の生体埋め込み用ＲＦＩＤタグ挿入用注射器型挿入器具においては、動物の生体埋め込み用ＲＦＩＤタグは、注射器の先端の金属製の注射針内に収納し、動物の生体に埋め込んでいた。図に基づいて説明する。
図４は、従来の生体埋め込み用ＲＦＩＤタグを挿入する際に使用される注射器型挿入器具の構成を示す簡易説明用概略側面図である。
【０００７】
図４において４１０は金属製の注射針部であり、１３０は生体埋め込み用ＲＦＩＤタグである。通常生体埋め込み用ＲＦＩＤタグ１３０は、金属製の注射針４１０内に収納されている。４４１はピストン部であり、４２３はシリンダー部本体部分、４２５はシリンダー部の内壁に設けれられるテーパー部である。テーパー部４２５は注射針部１４０に連結している。本考案の注射器型挿入器具と異なる点は、生体埋め込み用ＲＦＩＤタグ１３０の保管される部位にある。
【０００８】
このように、従来は、生体埋め込み用ＲＦＩＤタグは金属製の注射針部に収納されるために、注射器型挿入器具内に保管された状態での生体固有データの書き込みが不可能であった。そのため、動物の生体固有情報は、注射によってＲＦＩＤタグを動物の生体に埋め込んだ後に、動物の拘束を継続して動かないように保ちつつ、書き込みが実行される。ゆえに動物にＲＦＩＤタグを埋め込んだ後も、生体固有情報の書き込みを完了するまでの間、該動物を静止させておく必要性があり、医療従事者や研究者にとって、動物に噛まれる等の危険性を伴う困難な作業であった。生体固有データの書き込み中に動物が動くと、書き込みに失敗して再度書き込みが必要となり、安全に動物を動かないように拘束することは容易ではない。
【０００９】
したがって、生体埋め込み用ＲＦＩＤタグを動物に注射する直前のタイミングで、該ＲＦＩＤタグに動物の生体固有データの書き込みをし、その状態で即座に、該生体にＲＦＩＤタグを挿入できれば医療従事者や研究者の危険度と負担が軽減される。
【先行技術文献】
【特許文献】
【００１０】
【特許文献１】特開２００３−２３５３８２
【考案の概要】
【考案が解決しようとする課題】
【００１１】
本考案は、生体の識別に用いる生体埋め込み用ＲＦＩＤタグ挿入用注射器型挿入器具に関し、容易に短時間で動物の固有情報の書き込みができ、データ書き込み終了後に、該生体固有情報の書き込まれたＲＦＩＤタグを動物の生体へ埋め込むことを可能とし、動物を拘束する時間の短縮を可能とし、動物に咬まれるという危険性を低減できる生体埋め込み用ＲＦＩＤタグ挿入用注射器型挿入器具を提供することを目的とする。
【課題を解決するための手段】
【００１２】
請求項１に記載された考案は、電磁波を送受することによって固有情報を書き込み、読み出しし得る生体埋め込み用ＲＦＩＤタグを、動物又は人間の生体に埋め込むための注射器型挿入器具であって、
前記注射器型挿入器は、注射針部と、シリンダー部と、ピストン部と、を有し、
前記注射針部は、金属製であって、先端の生体穿刺部と、ピストン部が貫通可能である貫通孔を有し、
前記シリンダー部は、中空の円筒状であって、長手方向の注射針側端部近辺の内壁面に、前記シリンダー部から前記注射針部へ前記生体埋め込み用ＲＦＩＤタグの誘導を可能とするテーパー部を有し、
該テーパー部と前記注射針部の間には細い中空円筒部を有し、
前記中空円筒部は、前記生体埋め込み用ＲＦＩＤタグを一時的に保管し（以下、「生体埋め込み用ＲＦＩＤタグ保管部」ともいう）、
前記生体埋め込み用ＲＦＩＤタグ保管部は、前記生体埋め込み用ＲＦＩＤタグに書き込み可能な素材で作成され、
前記生体埋め込み用ＲＦＩＤタグ保管部の内径と、前記注射針部貫通孔の直径は略同じであり、生体埋め込み用ＲＦＩＤタグの直径より若干大きく、
前記ピストン部は、長手方向の注射針部側は前記注射針部の貫通孔の直径より若干小さい直径を有する円柱形状であり、他方の側は前記シリンダー部の内径より若干小さい直径を有する形状であり、一方の端部を押圧することにより、前記生体埋め込み用ＲＦＩＤタグ保管部に保管される前記生体埋め込み用ＲＦＩＤタグを、前記注射針部の先端方向へ押し出して生体に注入させ、
生体に、前記生体埋め込み用ＲＦＩＤタグを埋め込む直前に、前記生体の固有な情報（以下「生体固有情報」ともいう）を、前記生体埋め込み用ＲＦＩＤタグ保管部に収納されている前記ＲＦＩＤタグのＩＣチップに短時間で書き込み、書き込み終了後直ちに、前記生体固有情報の書き込まれたＲＦＩＤタグを生体内に埋め込むことが可能であることを特徴とする。
【００１３】
請求項２に記載された考案は、請求項１に記載の生体埋め込み用ＲＦＩＤタグ挿入用注射器型挿入器具に係り、
前記生体埋め込み用ＲＦＩＤタグ保管部は、該生体埋め込み用ＲＦＩＤタグ保管部の内壁に微細な凸部が形成されることにより、生体埋め込み用ＲＦＩＤタグが生体埋め込み用ＲＦＩＤタグ保管部に一時的に停止し、生体埋め込み用ＲＦＩＤタグに生体固有情報が書き込まれた後で前記ピストン部に押圧されることにより、前記注射針部に移動することを特徴とする。
【００１４】
請求項３に記載された考案は、電磁波を送受することによって固有情報を書き込み、読み出しし得る生体埋め込み用ＲＦＩＤタグを、動物又は人間の生体に埋め込むための注射器型挿入器具であって、
前記注射器型挿入器は、注射針部と、シリンダー部と前記注射針部を連結し、ＲＦＩＤタグを保管する分離型保管部と、シリンダー部と、ピストン部と、を有し、
前記注射針部は、金属製であって、先端の生体穿刺部と、ピストン部が貫通可能である貫通孔を有し、
前記分離型保管部の一方の端部は、前記注射針部の前記生体穿刺部と異なる端部に固定され前記注射針部を保持し、他方の端部は前記シリンダー部の一端に着脱自在に係合できるように係合部を有し、
前記分離型保管部は前記生体埋め込み用ＲＦＩＤタグに書き込み可能な素材で作成され、中に前記生体埋め込み用ＲＦＩＤタグを保管でき、
前記シリンダー部の前記注射針部側端部は、前記ピストン部の先端を前記注射針部へ挿入する位置を保持するために、注射針部方向に細い中空の第１円筒部を有し、
前記シリンダー部注射針部側端部には中空の第２円筒部が形成され、前記第２円筒部の内壁は前記分離型保管部が着脱自在に係合できるように、係合部を有し、
前記分離型保管部に前記生体埋め込み用ＲＦＩＤタグを収納後、前記分離型保管部を該シリンダー部注射針部側端部に差し込んで前記注射器型挿入器具をセットし、
前記ピストン部は、長手方向の注射針部側は前記注射針部の貫通孔の直径より若干小さい直径を有する円柱形状を有し、他方の側は前記シリンダー部の内径より若干小さい直径を有する形状であり、一方の端部を押圧することにより、前記分離型保管部に保管される前記生体埋め込み用ＲＦＩＤタグを、前記注射針部の先端方向へ押し出して生体に注入させ、
生体に、前記生体埋め込み用ＲＦＩＤタグを埋め込む直前に、前記生体の固有な情報（以下「生体固有情報」ともいう）を、前記分離型保管部に収納されている前記ＲＦＩＤタグのＩＣチップに短時間で書き込み、書き込み終了後直ちに、前記生体固有情報の書き込まれたＲＦＩＤタグを生体内に埋め込むことを可能とすることを特徴とする。
【００１５】
請求項４に記載された考案は、請求項３に記載の生体埋め込み用ＲＦＩＤタグ挿入用注射器型挿入器具に係り、
前記分離型保管部は、前記分離型保管部の内壁に微細な凸部が形成されることにより、生体埋め込み用ＲＦＩＤタグが分離型保管部に一時的に停止し、生体埋め込み用ＲＦＩＤタグに生体固有情報が書き込まれた後で前記ピストン部に押圧されることにより、前記注射針部に移動することを特徴とする。
【００１６】
請求項５に記載された考案は、請求項１または２に記載の前記生体埋め込み用ＲＦＩＤタグ挿入用注射器型挿入器具に係り、
前記生体埋め込み用ＲＦＩＤタグ保管部は、生体埋め込み用ＲＦＩＤタグに書き込み可能なプラスチックであることを特徴とする。
【００１７】
請求項６に記載された考案は、請求項３または４に記載の前記生体埋め込み用ＲＦＩＤタグ挿入用注射器型挿入器具に係り、
前記分離型保管部は、生体埋め込み用ＲＦＩＤタグに書き込み可能なプラスチックであることを特徴とする。
【００１８】
請求項７に記載された考案は、請求項１乃至６のいずれか１項に記載の前記生体埋め込み用ＲＦＩＤタグ挿入用注射器型挿入器具に係り、
前記生体は人間以外の動物に係る生体であることを特徴とする。
【００１９】
請求項８に記載された考案は、請求項１乃至６のいずれか１項に記載の前記生体埋め込み用ＲＦＩＤタグ挿入用注射器型挿入器具に係り、
前記生体はペット用動物に係る生体であることを特徴とする。
【考案の効果】
【００２０】
動物の生体に、ＲＦＩＤタグ挿入用注射器型挿入器具内に一時的に保管される生体埋め込み用ＲＦＩＤタグを埋め込む直前に、該ＲＦＩＤタグに生体固有情報を書き込むことができ、データ書き込み終了後に該注射器型挿入器具により該データ入力済みＲＦＩＤタグを生体に埋め込むことができ、所要時間の短縮によりＲＦＩＤタグが埋め込まれる動物の負担軽減と、医療従事者や研究者の咬まれる危険性を回避することが可能となる。
【図面の簡単な説明】
【００２１】
【図１】本考案の実施の形態１に係る生体埋め込み用ＲＦＩＤタグ挿入用注射器型挿入器具の構成を示す説明用概略側面図である。
【図２】図１に示された本考案の実施の形態に係る生体埋め込み用ＲＦＩＤタグ挿入用注射器型挿入器具に収納されるＲＦＩＤタグが注射器型挿入器具の先端に押し出される様子を説明するための概略側面図である。
【図３】図１に示された生体埋め込み用ＲＦＩＤタグ保管部を説明するための説明用概略側面図である。
【図４】従来の生体埋め込み用ＲＦＩＤタグ挿入器具の構成を示す説明用概略側面図である。
【図５】本考案の実施の形態２に係る生体埋め込み用ＲＦＩＤタグ挿入用注射器型挿入器具の構成を説明するための説明図である。
【考案を実施するための形態】
【００２２】
電磁波を送受することによって固有情報を書き込み、読み出しし得る生体埋め込み用ＲＦＩＤタグを、動物の生体内に埋め込むためのＲＦＩＤタグ挿入用注射器型挿入器具であって、該注射器型挿入器具に収納されるＲＦＩＤタグに生体の固有情報を書き込み終了後に、動物の生体へＲＦＩＤタグを挿入することにより、短時間でデータの書き込みと生体への埋め込みが完了でき、動物に咬まれるという危険を最小限に回避できる生体埋め込み用ＲＦＩＤタグ挿入用注射器型挿入器具に係るものである。
【実施例１】
【００２３】
図１は、本考案に係る生体埋め込み用ＲＦＩＤタグ挿入用注射器型挿入器具の構成を示す説明用概略側面図である。
【００２４】
図１に示された本考案に係る生体埋め込み用ＲＦＩＤタグ挿入用注射器型挿入器具は、最初に生体に穿刺される注射針部と、注射針部に連結され生体に注入される物質（通常の注射器では注入される物質は薬液等の液体であるが、本考案ではＲＦＩＤタグという固体である）を保持するシリンダー部と、シリンダー部内に保管されたＲＦＩＤタグ（通常の注射器の場合には薬液に対応する）を注射針部を通して生体に押し込むピストン部と、を有する。
【００２５】
図１において、１１０は注射針部であり、１２０はシリンダー部であり、１３０は生体に注入されるＲＦＩＤタグであり、１４０はピストン部である。
【００２６】
注射針部１１０は、金属製の細い円筒を斜めに切り、先端が鋭利な形状であり、生体に穿刺して生体埋め込み用ＲＦＩＤタグを生体に埋め込む。１１１は、該注射器型挿入器具のピストン部１２１が貫通可能な貫通孔であり、１１２は該注射器型挿入器具先端の生体穿刺部である。
【００２７】
１３０は、生体埋め込み用ＲＦＩＤタグであり、本考案に係る生体埋め込み用ＲＦＩＤタグ挿入用注射器型挿入器具内に保管され、生体固有情報が書き込まれる。なお、図１においてＲＦＩＤタグは直径が略２ｍｍの円筒形状であるが、本考案の特徴はＲＦＩＤタグ自体にはないので、公知のＲＦＩＤタグでよく、図１においてＲＦＩＤタグの形状が直径が略２ｍｍの円筒形状であることはＲＦＩＤタグの形状の例示であり、これ以外の形状であってもよい。
【００２８】
１２０は、生体埋め込み用ＲＦＩＤタグ挿入用注射器型挿入器具のシリンダー部であり、本体の形状は中空の円筒形状である。１２３は中空円筒形状の本体部分であり、１２４は長手方向の注射針部側と逆の端部に設けられたストッパー部（生体埋め込み用ＲＦＩＤタグを生体に埋め込む際には、指止めの機能も果たす）であり、１２５は、長手方向の注射針部側の端部近辺の内壁面に設けられたテーパー部である。１２６は、シリンダー内壁のテーパー部１２５から注射針部１１０に連結する部分であり、形状は中空の細い円筒形状を成し、中に生体埋め込み用ＲＦＩＤタグを一時的に保管するための保管部となる。シリンダー部１２０は、シリンダー本体１２３とテーパー部１２５とストッパー部１２４と生体埋め込み用ＲＦＩＤタグ保管部１２６を備える。生体埋め込み用ＲＦＩＤタグ保管部１２６は、樹脂製素材等の、生体埋め込み用ＲＦＩＤタグに書き込み可能な素材から成り、生体埋め込み用ＲＦＩＤが該ＲＦＩＤタグ保管部１２６に保管された状態で生体の固有の情報を書き込むことができる。
【００２９】
テーパー部１２５により、生体埋め込み用ＲＦＩＤタグ１３０は生体埋め込み用ＲＦＩＤタグ保管部１２６に容易に誘導される。さらに、生体埋め込み用ＲＦＩＤタグ保管部１２６において、生体の固有の情報が書き込まれた後で、テーパー部１２５の存在によりピストン部１４０の保管部１２６側の先端が、生体埋め込み用ＲＦＩＤタグ保管部１２６に誘導され、ＲＦＩＤタグ１３０を注射針部の貫通孔１１１に容易に誘導し、生体埋め込み用ＲＦＩＤタグ１３０を注射針部先端へと押し出し、生体に埋め込むことを可能とする。
【００３０】
１４０は、ピストン部であり、１４１は１４０の長手方向の注射針部側であって、注射針１１０の貫通孔１１１に挿入される部分であり、１４１の内径はシリンダー本体部１２３の内径より小さく、生体埋め込み用ＲＦＩＤタグ保管部１２６および貫通孔１１１の内径よりも僅かに小さな内径を有する円柱形状である。１４２は、１４０の長手方向の他方の端部に設けられた押圧部である。１４１に連結する１４３は、１４０のシリンダー部本体部分１２３の中に収まる部分であって、押圧部１４２に連結する。
【００３１】
なお、１４０の長手方向の注射針部側１４１の直径が小さいことにより、生体埋め込み用ＲＦＩＤタグ１３０を生体に埋め込む際に押圧部１４２に加える力が小さくてすむ。１１３は、安全のために注射針部１１０を保護するための着脱可能なキャップ部である。
【００３２】
図１の注射針部１１０の貫通孔１１１の内径は、生体埋め込み用ＲＦＩＤタグ１３０の直径略２ｍｍより若干大きく、押圧部１４２を押圧されることでＲＦＩＤタグがピストン部１２１に押し出され易い程度の大きさであれば良い。ただし、今後、直径が小さくても十分に機能する生体埋め込み用ＲＦＩＤタグが開発されれば、それに対応して、注射針部１１０の直径を小さくすることにより、生体への苦痛を低減できる。
【００３３】
なお本考案は、ＲＦＩＤタグ自体に特徴は無く公知のＲＦＩＤタグでよいので、ＲＦＩＤタグについては説明を省略する。
【００３４】
動物に固有の情報としては、例えば顔写真、ＤＮＡ等がある。該ＲＦＩＤタグへの生体固有データの書き込み作業の終了後直ちに、該動物に注射することにより生体内にデータ入力済みＲＦＩＤタグが埋め込まれる。なお、ＲＦＩＤタグへの書き込みは公知の方法によるため、説明は省略する。
【００３５】
図２は、図１に示された本考案の実施の形態１に係る生体埋め込み用ＲＦＩＤタグ挿入用注射器型挿入器具により、中に収納されるＲＦＩＤタグが注射器型挿入器具の先端に押し出される様子を説明するための概略側面図である。
【００３６】
図２に示すように、前記生体埋め込み用ＲＦＩＤタグ保管部１２６に一時的に保管される生体埋め込み用ＲＦＩＤタグ１３０は、ピストン部押圧部１４２を押圧されることにより、ピストン部１４１により押されて注射針部１１０の先端方向へ押し出されて、動物の生体に注入される。
【００３７】
図３は、図１に示された生体埋め込み用ＲＦＩＤタグ挿入用注射器型挿入器具の生体埋め込み用ＲＦＩＤタグ保管部を説明するための説明用概略側面図である。
【００３８】
図３において、１２７は前記生体埋め込み用ＲＦＩＤタグ保管部１２６の内壁に設けられる微細な凸部である。図３において微細な凸部１２７は、ＲＦＩＤタグ１３０の略中央を保持する位置に２箇所設けられているが、位置はこれに限定されるものではなく、ＲＦＩＤタグ１３０の先端を保持する位置に設けられてもよい。また微細な凸部の形状には別段の特徴はなく公知のものでよい。
【００３９】
生体埋め込み用ＲＦＩＤタグ保管部１２６に一時的に保管される生体埋め込み用ＲＦＩＤタグ１３０は、前記生体埋め込み用ＲＦＩＤタグ保管部１２６の内壁に設けられる微細な凸部１２７によって、係止状態が保たれ、生体固有データの書き込みが安定して実行できる。
【００４０】
本考案は医療従事者や研究者が安全で容易に使用でき、かつ生体（この生体は現時点では主にペットや実験用小動物そして牛馬や動物園の大型動物であるが、将来は倫理観や法律的環境が整備されれば人間もこの生体に含まれ得る）の負担も軽減できるように、ＲＦＩＤタグ挿入用注射器型挿入器具の構造に工夫を加え、注射器型挿入器具内にＲＦＩＤタグを保管した状態で、ＲＦＩＤタグにデータ書き込み可能なＲＦＩＤタグ挿入用注射器型挿入器具を考案した。注射器型挿入器具内に書き込み可能な素材から成る部位を作成し、生体埋め込み用ＲＦＩＤタグを該部位に一時的に保管することによって、動物の生体への埋め込み直前の生体固有データ書き込みが可能となり、生体固有情報の書き込み後にすみやかに注射により該データ入力済みＲＦＩＤタグ生体に埋め込むことが可能となる。
【実施例２】
【００４１】
図５は、本考案の実施の形態２に係る生体埋め込み用ＲＦＩＤタグ挿入用注射器型挿入器具の構成を示す説明図である。実施の形態２に係る生体埋め込み用ＲＦＩＤタグ挿入用注射器型挿入器具は、注射針部とシリンダー部が、分離型保管部によって着脱自在となる構造であることと、該分離型保管部に生体埋め込み用ＲＦＩＤタグを一時的に保管することが、図1で示す実施例１と異なる。図５に示すように分離型保管部に生体埋め込み用ＲＦＩＤタグを収納し、該分離型保管部をシリンダー部先端に差し込み、図５の右側に示す注射器型挿入器具がセットされる。
【００４２】
図５に示された本考案に係る生体埋め込み用ＲＦＩＤタグ挿入用注射器型挿入器具は、最初に生体に穿刺される注射針部と、シリンダー部と、注射針部とシリンダー部を着脱自在に連結し、生体埋め込み用ＲＦＩＤタグを保管する分離型保管部と、注射針部を通して生体埋め込み用ＲＦＩＤタグを生体に押し込むピストン部と、を有する。
図５において、１１０は注射針部であり、１５０は分離型保管部であり、５２０はシリンダー部であり、１３０は生体に注入されるＲＦＩＤタグであり、１４０はピストン部である。
【００４３】
図５において、図1の注射針部と同様に注射針部１１０は、金属製の細い円筒を斜めに切り、先端が鋭利な形状であり、生体に穿刺して生体埋め込み用ＲＦＩＤタグを生体に埋め込む。１１１は、該注射器型挿入器具のピストン部１２１が貫通可能な貫通孔であり、１１２は該注射器型挿入器具先端の生体穿刺部である。
【００４４】
１５０は、注射針部１１０とシリンダー部５２０を着脱自在に連結でき、中に生体埋め込み用ＲＦＩＤタグを一時的に保管する中空の分離型保管部である。注射針部１１０の生体穿刺部１１２と逆の端部は、該分離型保管部１５０に固定されている。
【００４５】
該分離型保管部１５０の一方の端部は、注射針部を保持するために注射針部１１０端部に固定されるが、他方の端部は外壁に、シリンダー部５２０の注射針側端部に係合するための凸部等が形成され、シリンダー部５２０端部に着脱自在に固定できる構造を備えている。また、分離型保管部１５０の内壁には、生体埋め込み用ＲＦＩＤタグを一時的に固定できるように、凸部等が形成される。ただし図５では該凸部等は図示していない。
【００４６】
また、シリンダー部５２０の注射針部側端部は、分離型保管部１５０を連結し得るように、図1の実施例１と異なる構造を有する。シリンダー部の前記注射針部側端部は、前記ピストン部の先端を前記注射針部へ挿入する位置を保持するために、注射針部方向に細い中空の第１円筒部を有する。５２５は、中空のシリンダー部本体部分５２３の、注射針側の端部近辺の内壁面に設けられる底面部である。５２７は、シリンダー本体部５２３の該底面部５２５と一体的に形成される細い中空円筒形状を有する第１円筒部である。
【００４７】
また、シリンダー部注射針部側端部には中空の第２円筒部が形成され、前記第２円筒部の内壁は前記分離型保管部１５０が着脱自在に係合できるように、係合部を有する。５２６はシリンダー本体部５２３と一体的に形成される中空円筒形状の第２円筒部である。第２円筒部５２６の内壁には分離型保管部１５０を差し込み得るための溝等（図５では図示していない）が設けられ、分離型保管部１５０は第２中空円筒部５２６に自在に係合することができる。なお、図５に示す分離型保管部１５０およびシリンダー部５２０注射針部側端部の形状は例示であり、分離型保管部とシリンダー部注射針部側端部が自在に係合し、固定できればよい。
【００４８】
５００は、注射針部１１０と、分離型保管部１５０と、シリンダー部５２０と、ピストン部１４０とを組み立てて作成される注射器型挿入器具の概略側面図である。図５に示すように、生体埋め込み用ＲＦＩＤタグ１３０は、分離型保管部１５０の中に一時的に保管された後、分離型保管部１５０はシリンダー部端部の第２中空円筒部５２６に差し込まれて連結され、注射器型挿入器具５００が組み立てられる。
【００４９】
該分離型保管部１５０は、生体埋め込み用ＲＦＩＤタグに書き込み可能な樹脂製素材等から成るため、分離型保管部１５０に生体埋め込み用ＲＦＩＤタグが該分離型保管部１５０に保管された状態で、生体埋め込み用ＲＦＩＤタグ１３０への生体固有データの書き込みが可能となる。注射器型挿入器具をセットした後の注射器型挿入器具の使用に関しては、実施例１の場合と同じであるため、説明は省略する。
【００５０】
ピストン部１４０は、ピストン部のうち注射針１１０の貫通孔１１１に挿入される部位
１４１と、ピストン部の一端に設けられる押圧部１４２と、ピストン部のうちシリンダー部本体部分５２３に収まる部位１４３を備える。ピストン部１４１は押圧部１４２を押圧されることにより、シリンダー部先端の第１円筒部５２７から押し出され、分離型保管部１５０に保管されるＲＦＩＤタグ１３０を、注射針部の先端の１１２生体穿刺部へと押し出す。
【００５１】
図５に示された注射器型挿入器具は分離型保管部１５０以外のシリンダー部５２０の注射針部側端部以外の部位およびピストン部１４０については、図１に示す実施例１と同様であるため説明を省略する。なお、注射針部を保護するためのキャップ部は説明の容易のため、図５では省略している。また、図５の注射器型挿入器具の形状は例示であって、注射器型挿入器具の形状はこれに限定されるものではない。また注射器型挿入器具の製造方法については、公知の方法であるため詳細は省略する。
【００５２】
さらに、ＲＦＩＤタグへのデータ書き込み、生体への埋め込み等の作業の手順は、実施例１と同様であるため説明は省略する。
【産業上の利用可能性】
【００５３】
生体埋め込み用ＲＦＩＤタグへの生体固有データの書き込みと生体への埋め込み作業を短時間で容易にすることができ、生体埋め込み用ＲＦＩＤタグが埋め込まれる動物の負担を軽減でき、動物の生体認証と個別管理が容易となる。
【符号の説明】
【００５４】
１１０      本考案に係る生体埋め込み用ＲＦＩＤタグ挿入用注射器型挿入器具の注射針部
１１１      貫通孔
１１２      生体穿刺部
１１３      保護用キャップ部
１２０      シリンダー部
１２３      シリンダー部本体部分
１２４      ストッパー部
１２５      シリンダー内壁に設けられるテーパー部
１２６      前記生体埋め込み用ＲＦＩＤタグ保管部
１３０      生体埋め込み用ＲＦＩＤタグ
１４０      ピストン部
１４１      ピストン部のうち注射針１１０の貫通孔１１１に挿入される部分
１４２      ピストン部押圧部
１４３      ピストン部のうちシリンダー部本体部分１２３に収まる部分
【図１】
0003152587.tif 000003
【図２】
0003152587.tif 000004
【図３】
0003152587.tif 000005
【図４】
0003152587.tif 000006
【図５】
0003152587.tif 000007